(57)【特許請求の範囲】
【請求項１】
情報共有方法であって、
ユーザがソーシャルネットワークにおいて発表した情報について、前記ユーザの共有命令を受信すると、前記ユーザに共有理由を入力するための共有理由入力枠と共に一つ又は複数の共有対象が含まれる選択欄を表示することと、
前記選択欄から１つの共有対象が選択されることを受信し、前記ユーザの送信命令を受信すると、前記情報と共に前記共有理由入力枠に入力された共有理由を前記ユーザによって選択欄から選択された共有対象に送信することとを含み、
各前記共有対象はソーシャルネットワークに対応し、表示される共有対象に対応するソーシャルネットワークには、前記情報が発表されたソーシャルネットワークが含まれる、情報共有方法。
【請求項２】
前記表示される共有対象は、
第一ソーシャルネットワークにおける前記ユーザの友人、
第二ソーシャルネットワークにおける前記ユーザの個人スペース、及び／又は
第三ソーシャルネットワークにおける前記ユーザの個人スペースを含む、請求項１に記載の方法。
【請求項３】
前記選択欄には、検索リンクがさらに表示され、
前記ユーザが、第一ソーシャルネットワークにおける前記ユーザの友人である共有対象を選択する場合、前記ユーザの送信命令を受信すると、前記情報と共に前記共有理由入力枠に入力された共有理由を当該共有対象に送信することは、
前記ユーザが前記検索リンクをクリックしたことが確認されると、当該検索リンクを検索枠へと変換すると共に、前記ユーザが選択できるように、第一ソーシャルネットワークにおける前記ユーザとは友人関係であるすべてのユーザの対象名を表示することと、
前記ユーザの送信命令を受信すると、前記情報と共に前記共有理由入力枠に入力された共有理由を前記ユーザによって前記選択欄から選択された各対象名に対応するユーザに送信することとを含み、
前記対象名は、友人名、友人グループ名、グループ名、サブグループ名などを含む、請求項２に記載の方法。
【請求項４】
前記選択欄には、検索リンクがさらに表示され、
前記ユーザが、第一ソーシャルネットワークにおける前記ユーザの友人である共有対象を選択する場合、前記ユーザの送信命令を受信すると、前記情報と共に前記共有理由入力枠に入力された共有理由を当該共有対象に送信することは、
前記ユーザが前記検索リンクをクリックしたことが確認されると、前記検索リンクを検索枠へと変換すると共に、前記ユーザが前記検索枠に検索キーワードを入力したことが確認されると、前記ユーザが選択できるように、第一ソーシャルネットワークにおける前記ユーザとは友人関係であって且つ前記検索キーワードに合致するすべてのユーザの対象名を表示することと、
前記ユーザの送信命令を受信すると、前記情報と共に前記共有理由入力枠に入力された共有理由を前記ユーザによって選択欄から選択された各対象名に対応するユーザに送信することとを含み、
前記対象名は、友人名、友人グループ名、グループ名、サブグループ名を含む、請求項２に記載の方法。
【請求項５】
前記選択欄には、通知リストがさらに表示され、前記ユーザによって選択された各対象名を前記通知リストに追加し、
前記情報と共に前記共有理由入力枠に入力された共有理由を前記通知リストに追加された各対象名に対応するユーザに送信する、請求項３又は４に記載の方法。
【請求項６】
前記通知リストには、前記ユーザが選択できるように、前記ユーザが情報共有を行ったことがあるユーザのうち、情報共有を行った時間と現在時間との間の差が最も小さいＮ個のユーザの対象名がデフォルト表示され、前記Ｎは正整数であり、
前記情報と共に前記共有理由入力枠に入力された共有理由を前記ユーザによってデフォルト表示されたＮ個の対象名から選択された各対象名に対応するユーザにさらに発信する、請求項５に記載の方法。
【請求項７】
情報共有装置であって、
ユーザがソーシャルネットワークにおいて発表した情報について、前記ユーザの共有命令を受信すると、共有理由を入力するための共有理由入力枠と共に一つ又は複数の共有対象が含まれる選択欄を表示するために用いられる処理モジュールと、
前記選択欄から１つの共有対象が選択されることを受信し、前記ユーザの送信命令を受信すると、前記情報と共に前記共有理由入力枠に入力された共有理由を前記ユーザによって前記選択欄から選択された共有対象に送信するために用いられる共有モジュールとを含み、
各前記共有対象はソーシャルネットワークに対応し、前記共有対象に対応するソーシャルネットワークには、前記情報が発表されたソーシャルネットワークが含まれる、情報共有装置。
【請求項８】
前記表示される共有対象は、
第一ソーシャルネットワークにおける前記ユーザの友人、
第二ソーシャルネットワークにおける前記ユーザの個人スペース、及び
第三ソーシャルネットワークにおける前記ユーザの個人スペースを含む、請求項７に記載の装置。
【請求項９】
前記選択欄には、検索リンクがさらに表示され、
前記ユーザが、第一ソーシャルネットワークにおける当該ユーザの友人である共有対象を前記選択欄から選択した場合、前記ユーザが前記検索リンクをクリックしたことが確認されると、前記処理モジュールは前記検索リンクを検索枠へと変換すると共に、ユーザが選択できるように、第一ソーシャルネットワークにおける前記ユーザとは友人関係であるすべてのユーザの対象名を表示し、前記対象名は、友人名、友人グループ名、グループ名、サブグループ名を含み、
前記ユーザの送信命令を受信すると、前記共有モジュールは、前記情報と共に前記共有理由入力枠に入力された共有理由をユーザによって選択欄から選択された各対象名に対応するユーザに送信する、請求項８に記載の装置。
【請求項１０】
前記選択欄には、検索リンクがさらに表示され、
前記ユーザが、第一ソーシャルネットワークにおける当該ユーザの友人である共有対象を選択した場合、前記ユーザが前記検索リンクをクリックしたことが確認されると、前記処理モジュールは、前記検索リンクを検索枠へと変換すると共に、前記ユーザが前記検索枠に検索キーワードを入力したことが確認されると、前記ユーザが選択できるように、第一ソーシャルネットワークにおけるユーザとは友人関係であって且つ前記検索キーワードに合致するすべてのユーザの対象名を表示し、前記対象名は、友人名、友人グループ名、グループ名、サブグループ名を含み、
前記ユーザの送信命令を受信すると、前記共有モジュールは、前記情報と共に前記共有理由入力枠に入力された共有理由を前記ユーザによって前記選択欄から選択された各対象名に対応するユーザに送信する、請求項８に記載の装置。
【請求項１１】
前記選択欄には、通知リストがさらに表示され、
前記処理モジュールは、前記ユーザによって選択された各対象名を前記通知リストに追加するためにさらに用いられ、
前記共有モジュールは、前記情報と共に前記共有理由入力枠に入力された共有理由を前記通知リストに追加された各対象名に対応するユーザに送信する、請求項９又は１０に記載の装置。
【請求項１２】
前記通知リストには、前記ユーザが選択できるように、前記ユーザが情報共有を行ったことがある対象名のうち、情報共有を行った時間と現在時間との間の差が最も小さいＮ個のユーザの対象名がデフォルト表示され、Ｎは正整数であり、
前記共有モジュールは、前記情報と共に前記共有理由入力枠に入力された共有理由を、デフォルト表示されたＮ個の対象名から前記ユーザによって選択された各対象名に対応するユーザに送信するために用いられる、請求項１１に記載の装置。
【請求項１３】
コンピュータ装置であって、プロセッサ、記憶装置及び表示装置を含み、
前記記憶装置には、コンピュータ命令が記憶されており、当該コンピュータ命令は、
ユーザがソーシャルネットワークにおいて発表した情報について、前記ユーザの共有命令を受信すると、共有理由を入力するための共有理由入力枠と共に共有対象の選択欄を前記表示装置において表示する操作、及び
前記選択欄から１つの共有対象が選択されることを受信し、前記ユーザの送信命令を受信すると、前記情報と共に前記共有理由入力枠に入力された共有理由を前記ユーザによって選択欄から選択された共有対象に送信する操作、
をプロセッサに実行させるために用いられ、
そのうち前記選択欄には、一つ又は複数の共有対象が含まれ、各共有対象は、ソーシャルネットワークに対応し、表示される共有対象に対応するソーシャルネットワークには、前記情報が発表されたソーシャルネットワークが含まれる、コンピュータ装置。
【請求項１４】
前記記憶装置に記憶される前記共有対象は、少なくとも
第一ソーシャルネットワークにおける前記ユーザの友人、
第二ソーシャルネットワークにおける前記ユーザの個人スペース、及び
第三ソーシャルネットワークにおける前記ユーザの個人スペースを含む、請求項１３に記載の装置。
【請求項１５】
前記表示装置において前記選択欄に検索リンクをさらに表示し、
前記ユーザが、第一ソーシャルネットワークにおける当該ユーザの友人である共有対象を選択した場合、前記ユーザが前記検索リンクをクリックしたことが確認されると、前記検索リンクを検索枠へと変換すると共に、前記ユーザが選択できるように、第一ソーシャルネットワークにおける前記ユーザとは友人関係であるすべてのユーザの対象名を前記表示装置において表示し、前記対象名は、友人名、友人グループ名、グループ名、サブグループ名を含み、
前記ユーザの送信命令を受信すると、前記情報と共に前記共有理由入力枠に入力された共有理由を前記ユーザによって選択欄から選択された各対象名に対応するユーザに送信する、請求項１４に記載の装置。
【請求項１６】
前記表示装置において前記選択欄に検索リンクをさらに表示し、
前記ユーザが、第一ソーシャルネットワークにおける当該ユーザの友人である共有対象を選択欄から選択した場合、前記ユーザが前記検索リンクをクリックしたことが確認されると、前記検索リンクを検索枠へと変換すると共に、前記ユーザが前記検索枠に検索キーワードを入力したことが確認されると、前記ユーザが選択できるように、第一ソーシャルネットワークにおける前記ユーザとは友人関係であって且つ前記検索キーワードに合致するすべてのユーザの対象名を前記表示装置において表示し、前記対象名は、友人名、友人グループ名、グループ名、サブグループ名を含み、
前記ユーザの送信命令を受信すると、前記情報と共に前記共有理由入力枠に入力された共有理由を前記ユーザによって前記選択欄から選択された各対象名に対応するユーザに送信する、請求項１４に記載の装置。
【請求項１７】
前記表示装置において前記選択欄に、通知リストをさらに表示し、
前記ユーザによって選択欄から選択された各対象名を前記通知リストに追加し、
前記情報と共に前記共有理由入力枠に入力された共有理由を前記通知リストに追加された各対象名に対応するユーザに送信する、請求項１５又は１６に記載の装置。
【請求項１８】
前記ユーザが選択できるように、前記ユーザが情報共有を行ったことがある対象名のうち、情報共有を行った時間と現在時間との間の差が最も小さいＮ個のユーザの対象名を前記表示装置において前記通知リストにデフォルト表示し、Ｎは正整数であり、
前記情報と共に前記共有理由入力枠に入力された共有理由を、デフォルト表示されたＮ個の対象名から前記ユーザによって選択された各対象名に対応するユーザに送信する、請求項１７に記載の装置。
【発明の詳細な説明】
【技術分野】
【０００１】
本発明はインターネット技術に関し、特に情報共有方法、情報共有装置及びコンピュータ装置に関する。
【背景技術】
【０００２】
従来より、例えばミニブログのようなソーシャルネットワークが提供されている。ユーザは、ソーシャルネットワークを通じて友人を作ることができる。
【０００３】
現状では、あるユーザがあるソーシャルネットワークにおいて発表したある情報は、通常、同一のソーシャルネットワークの他のユーザ（例えばユーザの友人）しか見ることができず、他のソーシャルネットワークでの友人が当該情報を見ることができるようにしたい場合、ユーザは、通常、他のソーシャルネットワークにログインして当該情報を発表するしかない。明らかに、これはユーザにとって非常に不便であり、且つ情報の広がりにも不利である。
【発明の概要】
【発明が解決しようとする課題】
【０００４】
本発明は上記に鑑みてなされたものであり、その目的は情報の広がりを速めることができ、且つ容易で便利に実現できる情報共有方法及び情報共有装置を提供することにある。
【課題を解決するための手段】
【０００５】
上記目的を達成するために、本発明の技術案は、以下に示すように実現される。
【０００６】
情報共有方法であって、ユーザがソーシャルネットワークにおいて発表した情報について、前記ユーザの共有命令を受信すると、前記ユーザに一つ又は複数の共有対象が含まれる選択欄を表示することと、前記ユーザの送信命令を受信すると、前記情報を前記ユーザによって選択欄から選択された共有対象に送信することとを含み、前記各共有対象はソーシャルネットワークに対応し、表示される共有対象に対応するソーシャルネットワークには、前記情報が発表されたソーシャルネットワークが含まれる、情報共有方法。
【０００７】
情報共有装置であって、ユーザがソーシャルネットワークにおいて発表した情報について、前記ユーザの共有命令を受信すると、一つ又は複数の共有対象が含まれる選択欄を表示するために用いられる処理モジュールと、前記ユーザの送信命令を受信すると、前記情報を前記ユーザによって前記選択欄から選択された共有対象に送信するために用いられる共有モジュールとを含み、前記各共有対象はソーシャルネットワークに対応し、前記共有対象に対応するソーシャルネットワークには、前記情報が発表されたソーシャルネットワークが含まれる、情報共有装置。
【発明の効果】
【０００８】
上記から分かるように、本発明の前記技術案によれば、ユーザはあるソーシャルネットワークに発表された情報を他のソーシャルネットワークに共有することで、情報の広がりを速めることができる。また、例えば関連する命令を送信するなど、簡単な操作で済むため、ユーザにとっては容易で便利に実現することができる。
【図面の簡単な説明】
【０００９】
【図１】本発明の情報共有方法の実施例のフローチャートである。
【図２】本発明における共有対象選択欄を示す模式図である。
【図３】本発明においてユーザＸによって行われる対象名の選択を示す模式図である。
【図４】本発明において通知リストにデフォルト表示されたＮ個の対象名を示す模式図である。
【図５】本発明の情報共有装置の実施例を示す構成模式図である。
【図６】本発明のコンピュータ装置の構成模式図である。
【発明を実施するための形態】
【００１０】
従来技術に存在する課題について、本発明は、情報の広がりを速めることができ、且つ容易で便利に実現できる情報共有構想を提供する。
【００１１】
図１は、本発明の情報共有方法の実施例のフローチャートである。図１に示すように、情報共有方法は、ステップ１１及びステップ１２を含む。
【００１２】
ステップ１１において、ユーザ（本明細書では「ユーザＸ」と称する）がソーシャルネットワーク（本明細書では「ソーシャルネットワークＹ」と称する）において発表した情報（本明細書では「情報Ｚ」と称する）について、ユーザＸの共有命令を受信すると、ユーザＸに選択欄を表示し、選択欄には、一つ又は複数の共有対象が表示され、各共有対象は異なるソーシャルネットワークにそれぞれ対応し、前記ソーシャルネットワークＹは、表示される共有対象に対応するソーシャルネットワークに含まれる。
【００１３】
ステップ１２において、ユーザＸの送信命令を受信すると、情報ＺをユーザＸによって選択欄から選択された共有対象に送信する。
【００１４】
説明の便宜上、本発明各実施例において、ユーザＸを用いて任意のユーザを代表し、ソーシャルネットワークＹを用いて任意のソーシャルネットワークを代表し、情報Ｚを用いてソーシャルネットワークＹに発表された任意の情報を代表する。
【００１５】
実際の使用上では、前記共有対象とは、通常、第一ソーシャルネットワークにおけるユーザＸの友人、第二ソーシャルネットワークにおけるユーザＸの個人スペース、及び第三ソーシャルネットワークにおけるユーザＸの個人スペースをいう。
【００１６】
実際の使用上では、第一ソーシャルネットワークはＱＱスペースであり、第二ソーシャルネットワークはミニブログであり、第三ソーシャルネットワークは友達ネット（Tencent Holdings Ltdが提供するソーシャルネットワークサービス）であり得る。
【００１７】
以下、具体的な例示を用いて図１に示すステップをさらに詳細に説明する。
【００１８】
ユーザＸがソーシャルネットワークＹにおいて発表した情報Ｚについて、ユーザＸの共有命令を受信すると、ユーザＸに共有対象の選択欄を表示し、選択欄には、選択可能である三つの異なる共有対象が表示され、各共有対象が一つのチェックボックスにそれぞれ対応し、チェックボックスのいずれもデフォルト状態としてチェックされている。
【００１９】
図２は、本発明における共有対象選択欄を示す模式図である。図２に示すように、ユーザＸが発表したミニブログ情報について、ユーザＸが当該ミニブログ情報に対応する共有ボタンをクリックすると、ユーザＸには、デフォルト状態として空欄である共有理由入力枠が表示され、ユーザＸは共有理由入力枠に共有理由を入力することができ、共有理由は、その後、当該ミニブログ情報と共に他のソーシャルネットワークに共有される。なお、共有理由入力枠には如何なる情報を入力しなくてもよい。そして、ユーザＸが共有対象アイコン（すなわち図２に示すハンド状のアイコン）にマウスオーバーすると、ユーザＸにドロップダウンフローティング層（すなわち共有対象選択欄）が表示され、共有対象選択欄には、三つの共有対象が表示され、マウスポインターが共有対象アイコン又はドロップダウンフローティング層から一秒以上離れると、ドロップダウンフローティング層が消える。三つの共有対象の右側には、チェックボックスがそれぞれ表示され、チェックボックスのいずれもデフォルト状態としてチェックされている。ユーザＸがマウスを用いてあるチェックボックスをクリックすると、その中の「レ」が消え、選択されていない状態となる。
【００２０】
また、当該選択欄には、検索リンク（すなわち図２に示す「ある友人、組又はグループに知らせる」）がさらに表示されてもよく、その検索リンクは三つの共有対象の下方に位置してもよい。前記ユーザが、第一ソーシャルネットワークにおける前記ユーザの友人である共有対象を選択し、且つユーザＸが当該検索リンクをクリックしたことが確認される場合、当該検索リンクを検索枠へと変換すると共に、ユーザＸが選択できるように、ＱＱスペースにおけるユーザＸとは友人関係であるすべてのユーザの対象名をユーザＸに表示する。前記対象名は、友人名、友人グループ名、グループ名、サブグループ名などを含み得る。各対象名の具体的な意味はいずれも当該分野で周知されているものである。ユーザＸが検索枠に検索キーワードを入力していなかった場合、ユーザＸの送信命令を受信すると、情報ＺをユーザＸによって選択された各対象名に対応するユーザに送信する。
【００２１】
ユーザＸが検索枠に検索キーワードを入力したことが確認されると、ユーザＸが選択できるように、第一ソーシャルネットワーク（例えばＱＱスペース）におけるユーザＸとは友人であって且つ前記検索キーワードに合致するすべての対象名をユーザＸに表示する。ユーザＸの送信命令を受信すると、情報ＺをユーザＸによって選択された各対象名に対応するユーザに送信する。ユーザＸが入力する検索キーワードは漢字、アルファベット、ピンイン又はこれらの任意の組み合わせなどであり得る。
【００２２】
図３は、本発明においてユーザＸによって行われる対象名の選択を示す模式図である。図３に示すように、ユーザＸが、第一ソーシャルネットワークにおける前記ユーザの友人である共有対象を選択し、且つ検索枠に検索キーワードを入力しなかった場合、共有対象選択欄の右側には、第一ソーシャルネットワーク（例えばＱＱスペース）におけるユーザＸとは友人関係であるすべての対象名が表示される。ユーザＸが検索枠に検索キーワードを入力した場合、選択欄の右側にはＱＱスペースにおけるユーザＸとは友人関係であって且つ検索キーワードに合致するすべての対象名が表示される。ユーザＸのマウスポインターがある対象名を通過するとき、その右側にはチェックボックスが現れる。ユーザＸが当該チェックボックスをクリックすると、当該チェックボックスの中には、対応する対象名が選択されたことを表す「レ」記号が現れ、且つ当該チェックボックスは消えずに残ることとなる。一方、対応する対象名が選択されていなければ、当該チェックボックスは消えることとなる。また、図３に示すように、検索枠の下方に通知リスト（すなわち「知らせる対象：」）をさらに表示し、選択された各対象名及び対応するチェックボックスを通知リストに表示してもよい。
【００２３】
さらに、ユーザＸが選択できるように、ユーザＸが情報共有を行ったことがあるユーザのうち、情報共有を行った時間と現在時間との間の差が最も小さいＮ個のユーザの対象名を通知リストにデフォルト表示してもよい。Ｎは正整数であり、具体的な数値は実際の需要に基づいて決定し得る（例えば３である）。また、近い時間から遠い時間の順に従ってＮ個の対象名が配列され、対象名のそれぞれは、デフォルト状態としてチェックされていないチェックボックスに対応するようにしてもよい。ユーザＸは、必要に応じて、そのうちのある対象名を選択し、又はそのうちのいくつかの対象名を選択し、さらに又はそのうちのすべての対象名を選択し得る。勿論、いずれも選択しなくてもよい。ユーザＸは過去に情報共有を行っていなっかた場合、デフォルト表示される内容はない。
【００２４】
図４は、本発明において通知リストにデフォルト表示されたＮ個（仮にＮの値を３とする）の対象名を示す模式図である。図４に示すように、そのうちの「木本」、「楊娜」及び「騎驢求馬」はデフォルト表示される三つの対象名であり、「葉苗」及び「張揚」はユーザＸが図３に示す方法に基づいて通知リストに追加した二つの対象名である。
【００２５】
図２に示すミニブログ情報について、ユーザＸによるすべての選択が終了すると、送信命令を送信し得る。例えば、図２に示す確認ボタンをクリックすることで、当該ミニブログ情報をユーザＸによって選択された共有対象に共有する。図２に示す三つの共有対象のすべてがユーザＸによって選択された場合、当該ミニブログ情報は、ユーザＸの個人ミニブログ、及び友達ネットにおけるユーザＸの個人スペースに同期され、また、通知リストにおける選択された状態である各対象名に対応するユーザにも送信され、例えばこれらユーザのＱＱスペースにおける「私のスペース動向」に、当該ミニブログ情報の内容を含む情報が送信される。
【００２６】
なお、通知リストにおける選択された状態である友人グループ名及びサブグループ名については、そのうちの各ユーザに情報をそれぞれ送信する必要がある。また、例えば通知リストにおけるある選択された状態である友人名と、通知リストにおけるある選択された状態である友人グループ名のうちのあるユーザとが重複するというような、ユーザが重複する場合、当該重複するユーザには一つの情報のみを送信すればよい。なお、同期の方法、及び情報の送信方法はいずれも従来技術である。
【００２７】
また、図２において共有されたのはユーザＸが発表したミニブログ情報であり、当該ミニブログ情報をユーザＸの個人ミニブログに発表することは、当該ミニブログ情報をもう一回発表したこととなる。ミニブログ中の情報は近い時間から遠い時間の順に従って配列されて表示されるため、このような処理によれば、新しく発表した情報はこの前発表した情報よりも上列に配列され、より容易に他のユーザに見られて好適である。
【００２８】
ここまで、本発明に係る方法の実施例を紹介した。
【００２９】
前記紹介に基づいて、図５は、本発明の情報共有装置の実施例を示す構成模式図である。図５に示すように、情報共有装置は、処理モジュール５１及び共有モジュール５２を含む。
【００３０】
処理モジュール５１は、ユーザＸがソーシャルネットワークＹにおいて発表した情報Ｚについて、ユーザＸの共有命令を受信すると、ユーザＸに共有対象を含む選択欄を表示するために用いられ、選択欄には、一つ又は複数の共有対象が表示され、各共有対象は、ユーザＸに選択されるためのソーシャルネットワークに対応し、表示される共有対象に対応するソーシャルネットワークには、ソーシャルネットワークＹが含まれる。
【００３１】
共有モジュール５２は、ユーザＸの送信命令を受信すると、情報ＺをユーザＸによって選択欄から選択された共有対象に送信するために用いられる。
【００３２】
前記共有対象は、第一ソーシャルネットワークにおけるユーザＸの友人、第二ソーシャルネットワークにおけるユーザＸの個人スペース、及び第三ソーシャルネットワークにおけるユーザＸの個人スペースを含み得る。
【００３３】
また、共有対象選択欄には、検索リンクがさらに表示されてもよい。
【００３４】
ユーザが、第一ソーシャルネットワークにおける当該ユーザの友人である共有対象を選択した場合、ユーザＸが検索リンクをクリックしたことが確認されると、処理モジュール５１は検索リンクを検索枠へと変換すると共に、ユーザＸが選択できるように、第一ソーシャルネットワークにおけるユーザＸとは友人関係であるすべてのユーザの対象名をユーザＸに表示する。前記対象名は、友人名、友人グループ名、グループ名、サブグループ名を含む。ユーザＸの送信命令を受信すると、共有モジュール５２は、情報ＺをユーザＸによって選択された各対象名に対応するユーザに送信する。
【００３５】
又は、ユーザが、第一ソーシャルネットワークにおける当該ユーザの友人である共有対象を選択した場合、ユーザＸが検索リンクをクリックしたことが確認されると、処理モジュール５１は、検索リンクを検索枠へと変換すると共に、ユーザＸが検索枠に検索キーワードを入力したことが確認されると、ユーザＸが選択できるように、第一ソーシャルネットワークにおけるユーザＸとは友人関係であって且つ検索キーワードに合致するすべての対象名をユーザＸに表示する。前記対象名は、友人名、友人グループ名、グループ名、サブグループ名を含む。ユーザＸの送信命令を受信すると、共有モジュール５２は、情報ＺをユーザＸによって選択された各対象名に対応するユーザに送信する。
【００３６】
共有対象選択欄には、通知リストがさらに表示されてもよい。
【００３７】
これに応じて、処理モジュール５１は、ユーザＸによって選択された各対象名を通知リストに追加するためにさらに用いられてもよい。共有モジュール５２は、情報Ｚを通知リストに追加された各対象名に対応するユーザに送信する。
【００３８】
通知リストには、ユーザＸが選択できるように、ユーザＸが情報共有を行ったことがある対象名のうち、現在時間に最も近いＮ個（Ｎは正整数である）のユーザの対象名がさらにデフォルト表示されてもよい。
【００３９】
これに応じて、共有モジュール５２は、情報Ｚを、デフォルト表示されたＮ個の対象名からユーザＸによって選択された各対象名に対応するユーザに送信するためにさらに用いられる。
【００４０】
共有モジュール５２は、ユーザＸの送信命令を受信すると、第一のネットワークアプリケーションプラットフォームから情報Ｚを取得すると共に、情報Ｚを一つ又は複数の第二のネットワークアプリケーションプラットフォームに送信するために用いられる。第二のネットワークアプリケーションプラットフォームによって情報Ｚを共有対象が存在するソーシャルネットワークに送信する。そのうち、第一のネットワークアプリケーションプラットフォームがソーシャルネットワークＹを提供し、第二のネットワークアプリケーションプラットフォームが、一つ又は複数の共有対象が存在するソーシャルネットワークを提供する。当該共有対象は、ユーザＸによって選択欄から選択される。
【００４１】
具体的に実現する際、本装置におけるモジュールは、インスタントメッセンジャークライアント又はインスタントメッセンジャーサーバーに存在し得る。例えば、処理モジュール５１はインスタントメッセンジャークライアントに存在し、共有モジュール５２はインスタントメッセンジャーサーバーに存在する。クライアントに存在する処理モジュール５１が送信した送信命令を受信すると、インスタントメッセンジャーサーバーに存在する共有モジュール５２は情報Ｚを第二のネットワークアプリケーションプラットフォームに送信し、第二のネットワークアプリケーションプラットフォームによって情報Ｚを共有対象が存在するソーシャルネットワークに送信する。さらに例えば、処理モジュール５１と共有モジュール５２はいずれもインスタントメッセンジャークライアントに存在し、クライアントに存在する共有モジュール５２が情報Ｚをインスタントメッセンジャーサーバーに位置する第二のネットワークアプリケーションプラットフォームに送信し、インスタントメッセンジャーサーバーに存在する第二のネットワークアプリケーションプラットフォームによって情報Ｚを共有対象が存在するソーシャルネットワークに送信する。そのうち、第二のネットワークアプリケーションプラットフォームが、一つ又は複数の共有対象が存在するソーシャルネットワークを提供する。
【００４２】
前記実例におけるモジュールは、実例で説明されたように実例中の装置に配置されてもよいが、変化を加えて本実例とは異なる一つ又は複数の装置に配置されてもよいことを当業者は理解すべきである。前記実例のモジュールは一つのモジュールにまとまってもよく、複数のサブモジュールにさらに分けてもよい。図５に示す装置実施例の具体的なワークフローついては、前記方法実施例における関連説明を参照され、ここでは、説明を省略する。
【００４３】
図６は、本発明のコンピュータ装置の構成模式図である。当該装置は、プロセッサ６１、記憶装置６２、表示装置６３を含む。
【００４４】
記憶装置６２には、コンピュータ命令が記憶されており、当該コンピュータ命令は、プロセッサ６１に以下の操作を実行させるために用いられる。
【００４５】
すなわち、ユーザＸがソーシャルネットワークＹにおいて発表した情報Ｚについて、ユーザＸの共有命令を受信すると、共有対象を含む選択欄を表示装置６３において表示すること、及び
ユーザＸの送信命令を受信すると、情報ＺをユーザＸによって選択欄から選択された共有対象に送信すること、という操作を実行させるために用いられる。そのうち表示装置６３には、ユーザＸに選択されるための一つ又は複数の共有対象が表示され、各共有対象は、ソーシャルネットワークに対応し、表示される共有対象に対応するソーシャルネットワークには、ソーシャルネットワークＹが含まれる。
【００４６】
そのうち、前記共有対象は、
第一ソーシャルネットワークにおけるユーザＸの友人、第二ソーシャルネットワークにおけるユーザＸの個人スペース、及び第三ソーシャルネットワークにおけるユーザＸの個人スペースを含み得る。
【００４７】
記憶装置６２には、プロセッサ５０１に以下の操作を実行させるために用いられるコンピュータ命令が記憶されている。
【００４８】
すなわち、表示装置６３において共有対象の選択欄に検索リンクをさらに表示すること、及び
ユーザＸが、第一ソーシャルネットワークにおけるユーザＸの友人である共有対象を選択した場合、ユーザＸが検索リンクをクリックしたことが確認されると、検索リンクを検索枠へと変換し、ユーザＸが選択できるように、第一ソーシャルネットワークにおけるユーザＸとは友人関係であるすべてのユーザの対象名を表示装置６３において表示し（前記対象名は、友人名、友人グループ名、グループ名、サブグループ名を含む）、ユーザＸの送信命令を受信すると、情報ＺをユーザＸによって選択された各対象名に対応するユーザに送信すること、又は、
ユーザＸが、第一ソーシャルネットワークにおけるユーザＸの友人である共有対象を選択した場合、ユーザＸが検索リンクをクリックしたことが確認されると、検索リンクを検索枠へと変換すると共に、ユーザＸが検索枠に検索キーワードを入力したことが確認されると、ユーザＸが選択できるように、第一ソーシャルネットワークにおけるユーザＸとは友人関係であって且つ検索キーワードに合致するすべての対象名を表示装置６３において表示し（前記対象名は、友人名、友人グループ名、グループ名、サブグループ名を含む）、ユーザＸの送信命令を受信すると、情報ＺをユーザＸによって選択された各対象名に対応するユーザに送信すること、という操作を実行させるために用いられる。
【００４９】
記憶装置６２には、プロセッサ６１に以下の操作を実行させるために用いられるコンピュータ命令がさらに記憶されている。
【００５０】
すなわち、表示装置６３において共有対象選択欄に、通知リストをさらに表示すること、
これに応じて、ユーザＸによって選択された各対象名を通知リストに追加すると共に、情報Ｚを通知リストに追加された各対象名に対応するユーザに送信すること、及び
ユーザＸが選択できるように、ユーザＸが情報共有を行ったことがある対象名のうち、現在時間に最も近いＮ個（Ｎは正整数である）のユーザの対象名を表示装置６３において通知リストにデフォルト表示すること、
これに応じて、情報Ｚを、デフォルト表示されたＮ個の対象名からユーザＸによって選択された各対象名に対応するユーザに送信すること、という操作を実行させるために用いされる。
【００５１】
要するに、本発明の前記技術案によれば、ユーザはあるソーシャルネットワークに発表された情報を他のソーシャルネットワークに共有することで、情報の広がりを速めることができる。また、例えば関連する命令を送信するなど、簡単な操作で済むため、ユーザにとっては容易で便利に実現することができる。
【００５２】
上記は、本発明の好ましい実施例にすぎず、本発明の保護範囲を限定するものではない。本発明の要旨と原則内で行われる種々の修正、均等置換え、改善などは全て本発明の保護範囲内に含まれるべきである。
【図１】
0005879442.tif 000002
【図２】
0005879442.tif 000003
【図３】
0005879442.tif 000004
【図４】
0005879442.tif 000005
【図５】
0005879442.tif 000006
【図６】
0005879442.tif 000007